(57)【要約】ショッピングカート（１０２）に設けられ、顧客のＩＤ情報を入力するＩＤ情報入力部（５０１）と、購入される商品がショッピングカート（１０２）のかご部（２００）に入れられる際に、商品に付された商品識別情報を読み取る商品識別情報読み取り部（５０４）と、読み取られた商品識別情報に基づく商品の商品情報を取得する商品情報取得部（５０５）と、取得された商品情報に基づいて、入力された顧客のＩＤ情報を用いて商品の代金の精算処理をおこなう精算処理部（５０８）と、を備える。したがって、購入商品の代金の精算処理を効率的におこなうことができ、かつ、商品の価格の設定・変更を容易におこなうことができ、それによって販売促進を図ることができる。
2003054822.tif 000002
【特許請求の範囲】
【請求項１】
ショッピングカートに設けられ、
顧客のＩＤ情報を入力するＩＤ情報入力手段と、
購入される商品が前記ショッピングカートのかご部に入れられる際に、前記商品に付された商品識別情報を読み取る商品識別情報読み取り手段と、
前記商品識別情報読み取り手段によって読み取られた商品識別情報に基づく前記商品の商品情報を取得する商品情報取得手段と、
前記商品情報取得手段によって取得された商品情報に基づいて、前記ＩＤ情報入力手段によって入力された顧客のＩＤ情報を用いて前記商品の代金の精算処理をおこなう精算処理手段と、
を備えたことを特徴とする精算装置。
【請求項２】
前記ＩＤ情報入力手段は、前記顧客のＩＤ情報として、前記顧客のクレジットカードなどの各種カードに記録された情報を読み取るカード情報読み取り手段であることを特徴とする請求の範囲第１項に記載の精算装置。
【請求項３】
前記ＩＤ情報入力手段は、前記顧客の携帯型情報端末装置との交信が可能となるように接続する接続手段であることを特徴とする請求の範囲第１項に記載の精算装置。
【請求項４】
前記商品情報取得手段は、前記ＩＤ情報入力手段によって入力された顧客のＩＤ情報に基づいて前記商品の商品情報を取得することを特徴とする請求の範囲第１項〜請求の範囲第３項のいずれか一つに記載の精算装置。
【請求項５】
店舗サーバと交信することによって、前記店舗サーバに記憶されている商品情報を受信する商品情報受信手段と、
前記商品情報受信手段によって受信された商品情報を記憶する商品情報記憶手段と、
を備え、
前記商品情報取得手段は、前記商品情報記憶手段から前記商品情報を取得することを特徴とする請求の範囲第１項〜請求の範囲第３項のいずれか一つに記載の精算装置。
【請求項６】
さらに、前記商品情報取得手段によって取得された商品情報の全部または一部を表示する表示手段を備えたことを特徴とする請求の範囲第１項〜請求の範囲第３項のいずれか一つに記載の精算装置。
【請求項７】
前記表示手段は、前記商品情報取得手段によって取得された商品情報を一覧表示することを特徴とする請求の範囲第６項に記載の精算装置。
【請求項８】
前記表示手段は、前記商品情報取得手段によって取得された商品情報にかかる商品の代金の合計金額を表示することを特徴とする請求の範囲第６項に記載の精算装置。
【請求項９】
購入される商品の識別情報を入力する商品識別情報入力手段と、
前記商品識別情報入力手段によって入力された識別情報にかかる商品の配送先に関する情報を入力する配送先情報入力手段と、
前記商品識別情報入力手段によって入力された識別情報および前記配送先情報入力手段によって入力された配送先情報を前記店舗サーバへ送信する送信手段と、
を備え、
前記商品情報取得手段は、前記商品識別情報入力手段によって入力された識別情報に基づく前記商品の商品情報を取得することを特徴とする請求の範囲第１項〜請求の範囲第３項のいずれか一つに記載の精算装置。
【請求項１０】
前記かご部に入れられた商品の測定重量に関する情報を入力する測定重量情報入力手段と、
前記商品識別情報読み取り手段によって読み取られた商品識別情報にかかる商品の重量に関する情報を取得する重量情報取得手段と、
前記測定重量情報入力手段によって入力された商品の重量と、前記重量情報取得手段によって取得された重量情報の合計とを比較する比較手段と、
を備えたことを特徴とする請求の範囲第１項〜請求の範囲第３項のいずれか一つに記載の精算装置。
【請求項１１】
前記比較手段によって比較された結果に基づいて警告情報を出力する警告情報出力手段を備えたことを特徴とする請求の範囲第１０項に記載の精算装置。
【請求項１２】
前記請求の範囲第１項〜請求の範囲第３項のいずれか一つに記載の精算装置を設けたことを特徴とするショッピングカート。
【請求項１３】
さらに、前記ショッピングカートのかご部の底部に、前記かご部に入れられた商品の重量を測定する重量測定手段を備えたことを特徴とする請求の範囲第１２項に記載のショッピングカート。
【請求項１４】
さらに、前記かご部に入れられた商品を取り出す際に開閉する商品取り出し蓋部材と、
前記商品取り出し蓋部材の開閉を制御する制御手段と、
を備えたことを特徴とする請求の範囲第１２項に記載のショッピングカート。
【請求項１５】
ショッピングカートに設けられた精算装置を用いて商品の代金の精算をおこなう精算方法であって、
顧客のＩＤ情報を入力するＩＤ情報入力工程と、
購入される商品がショッピングカートのかご部に入れられる際に、前記商品に付された商品識別情報を読み取る商品識別情報読み取り工程と、
前記商品識別情報読み取り工程によって読み取られた商品識別情報に基づく前記商品の商品情報を取得する商品情報取得工程と、
前記商品情報取得工程によって取得された商品情報に基づいて、前記ＩＤ情報入力工程によって入力された顧客のＩＤ情報を用いて前記商品の代金の精算処理をおこなう精算処理工程と、
を含んだことを特徴とする精算方法。
【請求項１６】
前記商品情報取得工程は、前記ＩＤ情報入力工程によって入力された顧客のＩＤ情報に基づいて前記商品の商品情報を取得することを特徴とする請求の範囲第１５項に記載の精算方法。
【請求項１７】
さらに、前記商品情報取得工程によって取得された商品情報の全部または一部を表示する表示工程を含んだことを特徴とする請求の範囲第１５項または請求の範囲第１６項に記載の精算方法。
【請求項１８】
前記表示工程は、前記商品情報取得工程によって取得された商品情報を一覧表示することを特徴とする請求の範囲第１７項に記載の精算方法。
【請求項１９】
前記表示工程は、前記商品情報取得工程によって取得された商品情報にかかる商品の代金の合計金額を表示することを特徴とする請求の範囲第１７項に記載の精算方法。
【請求項２０】
購入される商品の識別情報を入力する商品識別情報入力工程と、
前記商品識別情報入力工程によって入力された識別情報にかかる商品の配送先に関する情報を入力する配送先情報入力工程と、
前記商品識別情報入力工程によって入力された識別情報および前記配送先情報入力工程によって入力された配送先情報を前記店舗サーバへ送信する送信工程と、
を含み、
前記商品情報取得工程は、前記商品識別情報入力工程によって入力された識別情報に基づく前記商品の商品情報を取得することを特徴とする請求の範囲第１５項または請求の範囲第１６項に記載の精算方法。
【請求項２１】
前記ショッピングカートのかご部に入れられた商品の重量を測定する重量測定工程と、
前記商品識別情報読み取り工程によって読み取られた商品識別情報にかかる商品の重量情報を取得する重量情報取得工程と、
前記重量測定工程によって測定された商品の重量と、前記重量情報取得工程によって取得された重量情報の合計とを比較する比較工程と、
を含んだことを特徴とする請求の範囲第１５項または請求の範囲第１６項に記載の精算方法。
【請求項２２】
前記請求の範囲第１５項または請求の範囲第１６項に記載された方法をコンピュータに実行させるプログラム。
【発明の詳細な説明】
技術分野
この発明は、スーパーマーケットなどで購入した商品の精算をおこなう精算装置、その精算装置を備えたショッピングカート、精算方法、およびその方法をコンピュータに実行させるプログラムに関する。
背景技術
従来、スーパーマーケットなどでは、顧客は、ショッピングカートを移動させ、所望の商品が陳列してある場所まで行き、そこで所望の商品をショッピングカートに入れる。この動作を繰り返しおこない、複数の商品をまとめて精算するため、ショッピングカートごとレジにならぶのが一般的であった。
また、陳列された商品の価格の設定や、一旦設定された価格の変更などは人手によっておこなっていた。
しかしながら、上記従来の方法にあっては、レジの台数に限りがあるため、顧客がレジに集中すると、レジの渋滞化が生じ、精算に時間がかかるという問題点があった。
また、商品の価格の設定、および一旦設定された価格の変更などは人手によっておこなわれているため、従業員にとっては非常に煩雑である。さらに、商品の価格の設定、変更が煩雑であるゆえに、容易に価格変更をすることができなかった。また、商品に対する価格は一律に設定されるため、商品単位で各顧客ごとに異なる料金を設定することが困難であった。それゆえに、店舗側は顧客のニーズに合致する販売促進活動を十分におこなうことができなかったという問題点があった。
この発明は、上記課題（問題点）を解決するためになされたものであり、購入商品の代金の精算処理を効率的におこなうことができ、かつ、商品の価格の設定・変更を容易におこなうことができ、それによって販売促進を図ることが可能な精算装置、ショッピングカート、精算方法、およびその方法をコンピュータに実行させるプログラムを提供することを目的としている。
発明の開示
上記課題を解決するために、本発明にかかる精算装置は、ショッピングカートに設けられ、顧客のＩＤ情報を入力するＩＤ情報入力手段と、購入される商品が前記ショッピングカートのかご部に入れられる際に、前記商品に付された商品識別情報を読み取る商品識別情報読み取り手段と、前記商品識別情報読み取り手段によって読み取られた商品識別情報に基づく前記商品の商品情報を取得する商品情報取得手段と、前記商品情報取得手段によって取得された商品情報に基づいて、前記ＩＤ情報入力手段によって入力された顧客のＩＤ情報を用いて前記商品の代金の精算処理をおこなう精算処理手段と、を備えたことを特徴とする。本発明によれば、精算のためにレジにならぶ必要がなく、レジ自体不要となる。
また、本発明にかかる精算装置は、本発明において、前記ＩＤ情報入力手段が、前記顧客のＩＤ情報として、前記顧客のクレジットカードなどの各種カードに記録された情報を読み取るカード情報読み取り手段であることを特徴とする。本発明によれば、クレジットカードなどの各種カードによって精算することができる。
また、本発明にかかる精算装置は、本発明において、前記ＩＤ情報入力手段が、前記顧客の携帯型情報端末装置との交信が可能となるように接続する接続手段であることを特徴とする。本発明によれば、携帯型情報端末装置によって精算することができる。
また、本発明にかかる精算装置は、前記商品情報取得手段が、前記ＩＤ情報入力手段によって入力された顧客のＩＤ情報に基づいて前記商品の商品情報を取得することを特徴とする。本発明によれば、顧客のＩＤ情報に応じて商品の価格を変更することができる。
また、本発明にかかる精算装置は、店舗サーバと交信することによって、前記店舗サーバに記憶されている商品情報を受信する商品情報受信手段と、前記商品情報受信手段によって受信された商品情報を記憶する商品情報記憶手段と、を備え、前記商品情報取得手段が、前記商品情報記憶手段から前記商品情報を取得することを特徴とする。本発明によれば、最新の商品情報を速やかに取得することができる。
また、本発明にかかる精算装置は、さらに、前記商品情報取得手段によって取得された商品情報の全部または一部を表示する表示手段を備えたことを特徴とする。本発明によれば、顧客に対して購入商品の状況や、購入金額に関する状況を容易に知らしめることができる。
また、本発明にかかる精算装置は、前記表示手段が、前記商品情報取得手段によって取得された商品情報を一覧表示することを特徴とする。本発明によれば、顧客に対して購入商品の状況を容易に知らしめることができ、顧客の買い忘れなどを防止させることができる。
また、本発明にかかる精算装置は、前記表示手段が、前記商品情報取得手段によって取得された商品情報にかかる商品の代金の合計金額を表示することを特徴とする。本発明によれば、顧客に対して購入金額に関する情報を容易に知らしめることができ、予算との関係で計画的に商品の選択・購入をさせることができる。
また、本発明にかかる精算装置は、購入される商品の識別情報を入力する商品識別情報入力手段と、前記商品識別情報入力手段によって入力された識別情報にかかる商品の配送先に関する情報を入力する配送先情報入力手段と、前記商品識別情報入力手段によって入力された識別情報および前記配送先情報入力手段によって入力された配送先情報を前記店舗サーバへ送信する送信手段と、を備え、前記商品情報取得手段が、前記商品識別情報入力手段によって入力された識別情報に基づく前記商品の商品情報を取得することを特徴とする。本発明によれば、通常の商品の購入時に、あわせてショッピングカートに入れられない商品や、持ち帰ることができない商品の購入を顧客にさせることができる。
また、本発明にかかる精算装置は、前記かご部に入れられた商品の測定重量に関する情報を入力する測定重量情報入力手段と、前記商品識別情報読み取り手段によって読み取られた商品識別情報にかかる商品の重量に関する情報を取得する重量情報取得手段と、前記測定重量情報入力手段によって入力された商品の重量と、前記重量情報取得手段によって取得された重量情報の合計とを比較する比較手段と、を備えたことを特徴とする。本発明によれば、識別情報の読み取りがなされていない商品がかご部に入れられていることを容易に判断することができる。
また、本発明にかかる精算装置は、前記比較手段によって比較された結果に基づいて警告情報を出力する警告情報出力手段を備えたことを特徴とする。本発明によれば、正しく精算処理がされていないことを操作者である顧客に通知することができる。
また、本発明にかかるショッピングカートは、前記発明に記載の精算装置を設けたことを特徴とする。本発明によれば、購入商品の代金の精算処理を効率的におこなうことができるショッピングカートが得られる。
また、本発明にかかるショッピングカートは、さらに、前記ショッピングカートのかご部の底部に、前記かご部に入れられた商品の重量を測定する重量測定手段を備えたことを特徴とする。本発明によれば、かご部に入れられた商品の重量を容易に知ることができ、その商品の重量と、精算処理が済んだ商品の算出重量の合計とを容易に比較することができる。
また、本発明にかかるショッピングカートは、さらに、前記かご部に入れられた商品を取り出す際に開閉する蓋部材と、前記蓋部材の開閉を制御する制御手段と、を備えたことを特徴とする。本発明によれば、かご部から商品を取り出すことを規制することができる。
また、本発明にかかる精算方法は、ショッピングカートに設けられた精算装置を用いて商品の代金の精算をおこなう精算方法であって、顧客のＩＤ情報を入力するＩＤ情報入力工程と、購入される商品がショッピングカートのかご部に入れられる際に、前記商品に付された商品識別情報を読み取る商品識別情報読み取り工程と、前記商品識別情報読み取り工程によって読み取られた商品識別情報に基づく前記商品の商品情報を取得する商品情報取得工程と、前記商品情報取得工程によって取得された商品情報に基づいて、前記ＩＤ情報入力工程によって入力された顧客のＩＤ情報を用いて前記商品の代金の精算処理をおこなう精算処理工程と、を含んだことを特徴とする。本発明によれば、精算のためにレジにならぶ必要がなく、レジ自体不要となる。
また、本発明にかかる精算方法は、前記商品情報取得工程が、前記ＩＤ情報入力工程によって入力された顧客のＩＤ情報に基づいて前記商品の商品情報を取得することを特徴とする。本発明によれば、顧客のＩＤ情報に応じて商品の価格を変更することができる。
また、本発明にかかる精算方法は、さらに、前記商品情報取得工程によって取得された商品情報の全部または一部を表示する表示工程を含んだことを特徴とする。本発明によれば、顧客に対して購入商品の状況や、購入金額に関する状況を容易に知らしめることができる。
また、本発明にかかる精算方法は、前記表示工程が、前記商品情報取得工程によって取得された商品情報を一覧表示することを特徴とする。本発明によれば、顧客に対して購入商品の状況を容易に知らしめることができ、顧客の買い忘れなどを防止させることができる。
また、本発明にかかる精算方法は、前記表示工程が、前記商品情報取得工程によって取得された商品情報にかかる商品の代金の合計金額を表示することを特徴とする。本発明によれば、顧客に対して購入金額に関する情報を容易に知らしめることができ、予算との関係で計画的に商品の選択・購入をさせることができる。
また、本発明にかかる精算方法は、購入される商品の識別情報を入力する商品識別情報入力工程と、前記商品識別情報入力工程によって入力された識別情報にかかる商品の配送先に関する情報を入力する配送先情報入力工程と、前記商品識別情報入力工程によって入力された識別情報および前記配送先情報入力工程によって入力された配送先情報を前記店舗サーバへ送信する送信工程と、を含み、前記商品情報取得工程が、前記商品識別情報入力工程によって入力された識別情報に基づく前記商品の商品情報を取得することを特徴とする。本発明によれば、通常の商品の購入時に、あわせてショッピングカートに入れられない商品や、持ち帰ることができない商品の購入を顧客にさせることができる。
また、本発明にかかる精算方法は、前記ショッピングカートのかご部の底部に、前記かご部に入れられた商品の重量を測定する重量測定工程と、前記商品識別情報読み取り工程によって読み取られた商品識別情報にかかる商品の重量情報を取得する重量情報取得工程と、前記重量測定工程によって測定された商品の重量と、前記重量情報取得工程によって取得された重量情報の合計とを比較する比較工程と、を含んだことを特徴とする。本発明によれば、識別情報の読み取りがなされていない商品がかご部に入れられていることを容易に判断することができる。
また、本発明にかかるプログラムは、前記発明のいずれか一つに記載された方法をコンピュータに実行させることができる。
発明を実施するための最良の形態
以下に添付図面を参照して、この発明にかかる精算装置、ショッピングカート、精算方法、およびその方法をコンピュータに実行させるプログラムの好適な実施の形態について詳細に説明する。
（本実施の形態の精算システム構成）
つぎに、この発明の本実施の形態のシステム構成について説明する。第１図は、この発明の本実施の形態にかかるショッピングカートを用いた精算システムのシステム構成を示す説明図である。第１図において、本精算システムは、本実施の形態にかかる精算装置１０１を設置したショッピングカート１０２と、無線によって精算装置１０１と交信をおこなうアンテナ１０３と、店舗サーバ１０４と、商品受け渡し所端末装置１０５と、商品配送センター端末装置１０６と、から構成される。そして、店内を移動するショッピングカート１０２に設置された精算装置１０１と交信可能なアンテナ１０３と、店舗サーバ１０４と、駐車場など、商品の受け渡しをおこなう商品受け渡し所に設置された商品受け渡し所端末装置１０５と、商品の配送処理をおこなう商品配送センターに設置された商品配送センター端末装置１０６とが、ＬＡＮやインターネットなどのネットワーク１００によって接続されている。
（ショッピングカードの外観）
つぎに、この発明の本実施の形態にかかるショッピングカート１０２の外観について説明する。第２図は、この発明の本実施の形態にかかるショッピングカートの外観を示す説明図である。第２図において、ショッピングカート１０２は、商品を入れるかご部２００を含め、従来から知られている通常のショッピングカートと同様の形状、機能を備えている。さらに、ショッピングカート１０２は、本実施の形態にかかる精算装置１０１を、ショッピングカート１０２の上側であって、操作者である顧客がつかむ取っ手２０２の近傍に設置している。
また、ショッピングカート１０２は、かご部２００に入れられた商品の重量を測定するために、かご部２００の底部に重量センサー２０１を備えている。この重量センサー２０１によって、かご部２００に入れられた商品の重量の合計が常に監視できるようになっている。
（精算装置の外観）
つぎに、この発明の本実施の形態にかかる精算装置１０１の外観について説明する。第３図は、この発明の本実施の形態にかかる精算装置の外観を示す説明図である。第３図において、精算装置１０１は、表示画面３０１と、カード３５０を挿入するカード挿入口３０２と、携帯電話機（ＰＤＡなどの携帯型情報端末装置を含む）を接続する携帯電話機接続口３０３と、商品に付されたバーコードを顧客が読み取るためのバーコードリーダ３０４と、十字キー３０５と、テンキー３０６と、レシート排出口３０７とを備えている。
（精算装置のハードウエア構成）
つぎに、この発明の本実施の形態にかかる精算装置のハードウエア構成について説明する。第４図は、この発明の本実施の形態にかかる精算装置のハードウエア構成を示す説明図（ブロック図）である。第４図において、４０１は装置全体を制御するＣＰＵを、４０２は基本入出力プログラムを記憶したＲＯＭを、４０３はＣＰＵ４０１のワークエリアとして使用されるＲＡＭを、それぞれ示している。
また、４０４はＣＰＵ４０１の制御にしたがってＨＤ（ハードディスク）４０５に対するデータのリード／ライトを制御するＨＤＤ（ハードディスクドライブ）を、４０５はＨＤＤ４０４の制御にしたがって書き込まれたデータを記憶するＨＤを、それぞれ示している。
また、４０６はカーソル、メニュー、ウィンドウ、あるいは文字や画像などの各種データを表示するディスプレイを、４０７は無線通信によってアンテナ１０３を介してネットワーク１００に接続され、さらにネットワーク１００を通じて店舗サーバ１０４と接続され、店舗サーバ１０４とＣＰＵ４０１とのインタフェースとして機能する無線制御部を、それぞれ示している。また、４０８は文字、数値、各種指示などの入力のためのテンキー３０６を含む複数のキー（表示画面３０１に表示されるソフトキーを含む）を備えたキーボードとＣＰＵ４０１とのインタフェースとして機能するキーボードＩ／Ｆを、４０９は各種指示の選択や実行、処理対象の選択、カーソルの移動などをおこなうポインティングデバイスとＣＰＵ４０１とのインタフェースとして機能するポインティングデバイスＩ／Ｆを、それぞれ示している。
また、４１０は、バーコードリーダ３０４とＣＰＵ４０１とのインタフェースとしての機能をするバーコードリーダＩ／Ｆを、４１１は、カード挿入口３０２に挿入されたクレジットカードなどのカード３５０を読み取りカードリーダであある。カードリーダ４１１は、カード３５０に記憶された情報を読み取るための読み取り機構、たとえば磁気リーダや接触型ＩＣカード読み取り装置（端子）などから構成される。
また、４１２は、携帯電話機接続口３０３に接続された携帯電話機３５１とＣＰＵとのインタフェースとしての機能をする携帯電話機Ｉ／Ｆを、４１３は、ＣＰＵ４０１の制御にしたがって文字や画像を印刷するプリンタを、それぞれ示している。そして、４００は、上記各部を接続するためのバスである。
（精算装置の機能的構成）
つぎに、この発明の本実施の形態にかかる精算装置に機能的構成について説明する。第５図は、この発明の本実施の形態にかかる精算装置の機能的構成を示す説明図（ブロック図）である。第５図において、精算装置１０１は、ＩＤ情報入力部５０１と、カード情報読み取り部５０２と、携帯型情報端末装置接続部５０３と、商品識別情報読み取り部５０４と、商品情報取得部５０５と、商品情報記憶部５０６と、商品情報受信部５０７と、精算処理部５０８と、表示部５０９と、商品識別情報入力部５１０と、配送先情報入力部５１１と、送信部５１２と、重量情報取得部５１３と、比較部５１４と、蓋開閉制御部５１５と、を含む構成となっている。
ＩＤ情報入力部５０１は、顧客のＩＤ情報を入力する。具体的には、たとえば第３図に示したテンキー３０６および第４図に示したキーボードＩ／Ｆ４０８、ポインティングデバイスＩ／Ｆ４０９などによってその機能を実現することができる。
カード情報読み取り部５０２は、顧客のＩＤ情報として、カード挿入口３０２に挿入された顧客のクレジットカードなどの各種カード３５０に記録された情報を読み取る。具体的には、たとえば第３図に示したカード挿入口３０２および第４図に示したカードリーダ４１１などによってその機能を実現する。これによって、クレジットカードなどの各種カードによって精算することができる。
携帯型情報端末装置接続部５０３は、顧客の携帯電話機３５１と精算装置１０１との交信が可能となるように接続する。具体的には、たとえば第３図に示した携帯電話機接続口３０３および第４図に示した携帯電話機Ｉ／Ｆ４１２などによってその機能を実現する。これによって、携帯型情報端末装置によって精算することができる。
商品識別情報読み取り部５０４は、購入される商品がショッピングカート１０２のかご部２００に入れられる際に、図示を省略する商品に付された商品識別情報（バーコード）を読み取る。具体的には、たとえば第３図に示したバーコードリーダ３０４および第４図に示したバーコードリーダＩ／Ｆ４１０などによってその機能を実現する。
商品情報取得部５０５は、商品識別情報読み取り部５０４によって読み取られた商品識別情報（バーコード）に基づく商品の商品情報を商品情報記憶部５０６から取得する。商品情報取得部５０５は、具体的には、たとえば第４図に示したＲＯＭ４０２、ＲＡＭ４０３、ＨＤ４０５などに記録されたプログラムをＣＰＵ４０１が実行することによってその機能を実現する。また、商品情報記憶部５０６は、具体的には、たとえば第４図に示したＲＡＭ４０３やＨＤ４０５によってその機能を実現する。
また、商品情報取得部５０５は、ＩＤ情報入力部５０１、カード情報読み取り部５０２または携帯型情報端末装置接続部５０３によって入力された顧客のＩＤ情報に基づいて商品の商品情報を取得するようにしてもよい。この場合に、商品情報記憶部５０６は、これによって、顧客のＩＤ情報に応じて商品の価格を変更することができる。
商品情報受信部５０７は、第１図に示した店舗サーバ１０４と交信することによって、店舗サーバ１０４に記憶されている商品情報を受信する。商品情報受信部５０７は、具体的には、たとえば第４図に示した無線制御部４０７などによってその機能を実現する。そして、受信された商品情報は、商品情報記憶部５０６に記憶される。これによって、最新の商品情報を速やかに取得することができる。
精算処理部５０８は、商品情報取得部５０５によって取得された商品情報に基づいて、ＩＤ情報入力部５０１、カード情報読み取り部５０２または携帯型情報端末装置接続部５０３によって入力された顧客のＩＤ情報を用いてショッピングカート１０２のかご部２００に入れられた商品の代金の精算処理をおこなう。精算処理部５０８は、具体的には、たとえば第４図に示したＲＯＭ４０２、ＲＡＭ４０３、ＨＤ４０５などに記録されたプログラムをＣＰＵ４０１が実行することによってその機能を実現する。これによって、顧客は、精算のためにレジにならぶ必要がなく、レジ自体不要となる。
表示部５０９は、商品情報取得部５０５によって取得された商品情報の全部または一部を表示し、または精算処理部５０８によって精算処理がおこなわれる商品の代金に関する情報を表示する。表示部５０９は、具体的には、たとえば第３図に示した表示画面３０１（第４図に示したディスプレイ４０６）によってその機能を実現する。これによって、顧客に対して購入商品の状況や、購入金額に関する状況を容易に知らしめることができる。
また、表示部５０９は、商品情報取得部５０５によって取得された商品情報を一覧表示することができる。これによって、顧客に対して購入商品の状況を容易に知らしめることができ、顧客の買い忘れなどを防止させることができる。
また、表示部５０９は、商品情報取得部５０５によって取得された商品情報にかかる商品の代金の合計金額を表示することができる。より具体的には、商品情報取得部５０５によって商品情報が取得されるごとにその商品の代金を加算する加算部（図示を省略）を備え、表示部５０９は、その加算部によって加算された合計金額を、表示画面３０１（ディスプレイ４０６）に表示する。
商品識別情報入力部５１０は、購入される商品の識別情報を入力する。商品識別情報入力部５１０は、具体的には、たとえば第３図に示したバーコードリーダ３０４および第４図に示したバーコードリーダＩ／Ｆ４１０、または、第３図に示したテンキー３０６、表示画面３０１に表示されたソフトキーボードおよび第４図に示したキーボードＩ／Ｆ４０８などによってその機能を実現する。
配送先情報入力部５１１は、商品識別情報入力部５１０によって入力された識別情報にかかる商品の配送先に関する情報を入力する。配送先情報入力部５１１は、具体的には、たとえば第３図に示したテンキー３０６、表示画面３０１に表示されたソフトキーボードおよび第４図に示したキーボードＩ／Ｆ４０８、第３図に示した十字キー３０５および第４図に示したポインティングデバイスＩ／Ｆ４０９などによってその機能を実現する。
送信部５１２は、商品識別情報入力部５１０によって入力された識別情報および配送先情報入力部５１１によって入力された配送先情報を前記店舗サーバ１０４へ送信する。送信部５１２は、具体的には、たとえば第４図に示した無線制御部４０７などによってその機能を実現する。また、その際、商品情報取得部５０５は、商品識別情報入力部５１０によって入力された識別情報に基づく前記商品の商品情報を取得する。
重量情報取得部５１３は、商品識別情報読み取り部５０４によって読み取られた商品識別情報にかかる商品の重量情報を商品情報記憶部５０６から取得する。重量情報取得部５１３は、具体的には、たとえば第４図に示したＲＯＭ４０２、ＲＡＭ４０３、ＨＤ４０５などに記録されたプログラムをＣＰＵ４０１が実行することによってその機能を実現する。
比較部５１４は、重量センサー２０１によって測定された商品の重量と、重量情報取得部５１３によって取得された重量情報の合計とを比較する。比較部５１４は、具体的には、たとえば第４図に示したＲＯＭ４０２、ＲＡＭ４０３、ＨＤ４０５などに記録されたプログラムをＣＰＵ４０１が実行することによってその機能を実現する。
蓋開閉制御部５１５は、後述する商品取り出し蓋部２０１４の開閉を制御する。開閉の制御の詳細な内容については後述する。蓋開閉制御部５１５は、具体的には、たとえば第４図に示したＲＯＭ４０２、ＲＡＭ４０３、ＨＤ４０５などに記録されたプログラムをＣＰＵ４０１が実行することによってその機能を実現する。
（商品情報記憶部５０６のデータ構成例）
つぎに、この発明の実施の形態にかかる精算装置１０１の商品情報記憶部（データベース）５０６のデータ構成の一例について説明する。第６図は、この発明の実施の形態にかかる精算装置１０１の商品情報記憶部５０６のデータ構成例を示す説明図である。第６図において、バーコード番号に対応して、商品名、単価、重量などの情報が格納されている。また、単価に関する情報は、複数のグループごと（グループＡ、グループＢ、グループＣ・・・）にそれぞれ格納されている。
そして、それらのグループの中から、ＩＤ情報入力部５０１、カード情報読み取り部５０２または携帯型情報端末装置接続部５０３によって取得された顧客のＩＤ情報に基づいて該当するグループが一つ選択される。したがって、顧客のＩＤ情報によって、商品の単価が異なることになる。この顧客のＩＤ情報は、その店舗の利用頻度などによって変更されるため、いわゆる「上客」などへのサービスとして店舗から顧客への値引きサービスを容易に実現することができる。なお、グループの選択は、図示を省略する、顧客のＩＤ情報とグループが対応付けされた顧客ＩＤ情報データベースを用いておこなう。
また、重量情報は、第５図に示した重量情報取得部５１３からの要求によって比較部５１４へ送られる。さらに、図示は省略するが、商品の説明に関する情報、たとえば商品の生産地、賞味期限、調理法などを格納することができ、必要に応じて、第３図に示した表示画面３０１へ表示するようにしてもよい。
（表示画面３０１の表示例）
つぎに、この発明の実施の形態にかかる精算装置の表示画面３０１に表示される表示内容について説明する。第７図は、この発明の実施の形態にかかる精算装置の表示画面３０１の表示内容を示す説明図である。第７図において、『商品購入』タブ７００が選択された場合、品名表示欄７０１と、単価表示欄７０２と、価格表示欄７０３と、購入個数選択ボタン７０４と、購入決定（『ＹＥＳ』）ボタン７０５と、購入取り消し（『ＮＯ』）ボタン７０６と、購入対象一覧表示欄７０７と、現在の合計金額表示欄７０８と、を表示する。
品名表示欄７０１には、バーコードリーダ３０４によってバーコードが読み取られた商品の品名を表示する。また、単価表示欄７０２には、同様にバーコードリーダ３０４によってバーコードが読み取られた商品の単価を表示する。上述のとおり、単価表示欄７０２に表示される単価は顧客ＩＤによってそれぞれ異なる単価が表示される。なお、購入個数選択ボタン７０４と、購入決定（『ＹＥＳ』）ボタン７０５と、購入取り消し（『ＮＯ』）ボタン７０６はそれぞれタッチパネルに表示されており、その表示領域を指などで触れることでボタンが押下されたと判断する。
購入個数選択ボタン７０４は、バーコードリーダ３０４によってバーコードが読み取られた商品と同一の商品を複数個まとめて購入する場合に、その個数を選択する際に用いる。ここでは、個数に該当するボタンをそれぞれ設けたが、このように複数個のボタンを設ける代わりに、テンキー３０６によって個数を指定するようにしてもよい。そして、購入個数が選択（指定）されると、単価および購入個数に基づいて算出された価格を価格表示欄７０３に表示する。
購入決定（『ＹＥＳ』）ボタン７０５は、押下を検知することによって、品名表示欄７０１に表示された商品が購入されたことを認識する。一方、購入取り消し（『ＮＯ』）ボタン７０６は、押下を検知することによって、品名表示欄７０１に表示された商品が購入されなかったことを認識する。商品が購入されたことを認識した場合は、購入対象一覧表示欄７０７にその商品を追加表示すると共に、現在の合計金額表示欄７０８に表示する合計金額を変更する。
（精算装置の処理手順）
つぎに、この発明の実施の形態にかかる精算装置の処理の手順について説明する。第８図、第９図、第１４図、第１６図、第１８図は、この発明の実施の形態にかかる精算装置の処理の手順を示すフローチャートである。第８図のフローチャートにおいて、まず、顧客によってＩＤ情報が入力されたか（ステップＳ８０１）、カード３５０が精算装置１０１のカード挿入口３０２に挿入されたか（ステップＳ８０２）、または、携帯電話機３５１が携帯電話機接続口３０３に接続されたか（ステップＳ８０３）を判断する。
そして、いずれにも該当しない場合（ステップＳ８０１：Ｎｏ、ステップＳ８０２：Ｎｏ、ステップＳ８０３：Ｎｏ）は、いずれかに該当するのを待って、いずれかに該当する場合（ステップＳ８０１：Ｙｅｓ、ステップＳ８０２：Ｙｅｓ、ステップＳ８０３：Ｙｅｓ）は、つぎに、上記ステップＳ８０１〜Ｓ８０３のいずれかのステップにおいて取得した顧客のＩＤ情報に基づいて認証処理をおこなう（ステップＳ８０４）。
認証処理は、上記顧客のＩＤ情報に含まれる有効期限に関する情報に基づいて判断してもよく、また、顧客のＩＤ情報を一旦、店舗サーバ１０４へ送信し、店舗サーバ１０４において認証処理をさせ、その結果を受信するようにしてもよい。ステップＳ８０４において、判断の結果、認証がＮＧとなった場合（ステップＳ８０４：Ｎｏ）は、エラー処理（表示画面３０１へのエラー表示処理を含む）をおこない（ステップＳ８０５）、処理は終了する。
一方、ステップＳ８０４において、認証がＯＫの場合（ステップＳ８０４：Ｙｅｓ）は、精算装置の起動処理をおこない（ステップＳ８０６）、店舗サーバ１０４に対して、最新の商品情報を要求する（ステップＳ８０７）。そして、店舗サーバ１０４から商品情報の受信を待って（ステップＳ８０８）、商品情報を受信した場合（ステップＳ８０８：Ｙｅｓ）、第７図に示したような商品購入画面を表示画面３０１に表示する（ステップＳ８０９）。このようにして、精算装置１０１が利用可能な状態となる。
つぎに、第９図に示すフローチャートにおいて、バーコードリーダ３０４によって、購入する商品に付されたバーコードが読み取られたか否かを判断する（ステップＳ９０１）。ここで、バーコードが読み取られるのを待って、読み取られた場合（ステップＳ９０１：Ｙｅｓ）は、つぎに、読み取られたバーコードに対応する商品情報を取得（抽出）する（ステップＳ９０２）。商品情報は、商品情報記憶部５０６から取得する。また、第４図に示した無線制御部４０７を介して、ネットワーク１００に接続された店舗サーバ１０４を含むデータベースから取得してもよい。
つぎに、取得した商品情報を、たとえば第１０図に示すように表示画面３０１に表示する（ステップＳ９０３）。つぎに、商品の購入個数が選択（指定）されたか否か、すなわち、購入個数選択ボタン７０４のいずれかが押下されたか否かを判断する（ステップＳ９０４）。ここで、商品の購入個数が選択（指定）されなかった場合（ステップＳ９０４：Ｎｏ）は、購入取り消しボタン７０６が押下されたか否かを判断する（ステップＳ９０５）。そして、購入取り消しボタン７０６が押下された場合（ステップＳ９０５：Ｙｅｓ）は、ステップＳ９０９へ移行する。一方、ステップＳ９０５において、購入取り消しボタン７０６が押下されなかった場合（ステップＳ９０５：Ｎｏ）は、ステップＳ９０４へ戻る。
そして、ステップＳ９０４において、購入個数が選択（指定）された場合（ステップＳ９０４：Ｙｅｓ）は、つぎに、商品の単価と購入個数に基づいて商品の価格を算出し、第１１図に示すように、上記価格を表示する（ステップＳ９０６）。つぎに、購入決定ボタン７０５が押下されたか否かを判断する（ステップＳ９０７）。ここで、購入決定ボタン７０５が押下されなかった場合（ステップＳ９０７：Ｎｏ）は、購入取り消しボタン７０６が押下されたか否かを判断する（ステップＳ９０８）。そして、購入取り消しボタン７０６が押下された場合（ステップＳ９０８：Ｙｅｓ）は、ステップＳ９０９へ移行し、表示画面３０１に表示されていた商品の品名と単価、さらには価格が表示されている場合は価格をすべて消去し（ステップＳ９０９）、ステップＳ９０１へ戻る。
一方、ステップＳ９０８において、購入取り消しボタン７０６が押下されなかった場合（ステップＳ９０８：Ｎｏ）は、ステップＳ９０７へ戻る。そして、ステップＳ９０７において、購入決定ボタン７０５が押下された場合（ステップＳ９０７：Ｙｅｓ）は、つぎに、第１２図に示すように表示画面３０１の購入対象一覧表示欄７０７の内容を変更（更新）する（ステップＳ９１０）。第１２図においては、第１０図に示した表示画面３０１の購入対象一覧表示欄７０７と比較して、『たまねぎ』があらたに追加されたことを示している。
さらに、価格の合計金額を算出し（ステップＳ９１１）、合計金額を第１２図の表示画面３０１の合計金額表示欄７０８に示すように表示する（ステップＳ９１２）。決済画面が選択（指定）されるまで（ステップＳ９１３：Ｙｅｓ）、ステップＳ９０１〜Ｓ９１３までの各処理ステップを繰り返しおこなう。第１３図では、複数の商品が読み取られ、購入対象一覧表示欄７０７に表示されている状態を示している。なお、第１２図および第１３図において、消費税についての記載は省略したが、購入対象一覧には品名、単価、価格のほか、消費税など商品に関する他の情報をあわせて表示するようにしてもよい。
ついで、第１４図のフローチャートにおいて、決済画面が選択（指定）されると、たとえば第１５図に示す決済画面を表示する（ステップＳ１４０１）。なお、決済画面の選択（指定）は、たとえば『決済画面』タグ１５００を指などでタッチすることによって容易におこなうことができる。
つぎに、他の画面（たとえば、『商品検索』、『店内ナビ』、『情報ページ』など）が選択（指定）されたか否かを判断する（ステップＳ１４０２）。ここで、他の画面が選択（指定）された場合（ステップＳ１４０２：Ｙｅｓ）は、選択（指定）された他の画面を表示し（ステップＳ１４０３）、他の画面における処理をおこなう。
一方、ステップＳ１４０２において、他の画面が選択（指定）されなかった場合（ステップＳ１４０２：Ｎｏ）は、つぎに、第１５図に示す『決済開始』ボタン１５０１が押下されたか否かを判断する（ステップＳ１４０４）。ここで、『決済開始』ボタン１５０１が押下されるのを待って、押下された場合（ステップＳ１４０４：Ｙｅｓ）は、店舗サーバ１０４へ決済要求情報を送信する（ステップＳ１４０５）。決済要求情報には、少なくとも顧客のＩＤ情報および合計金額に関する情報が含まれる。
その後、店舗サーバ１０４から決済完了情報を受信したか否かを判断する（ステップＳ１４０６）。つぎに、決済完了情報を受信した場合（ステップＳ１４０６：Ｙｅｓ）は、受信した決済完了情報に基づいてレシートを印刷する（ステップＳ１４０７）。そして、レシートの印刷が完了するのを待って、完了した場合（ステップＳ１４０８：Ｙｅｓ）は、表示画面３０１に図示を省略する決済完了通知画面を表示する（ステップＳ１４０９）。上記決済完了通知画面には、たとえば「決済が完了しました。カードを挿入口からお取り下さい。ありがとうございました。」などの内容を表示画面３０１に表示することで、決済が完了したことおよびカード３５０または携帯電話機３５１を取り出すことについて顧客に通知する。
そして、カード３５０が取り出されたか否かを判断し（ステップＳ１４１０）、取り出された場合（ステップＳ１４１０：Ｙｅｓ）は、精算装置１０１の電源をＯＦＦ（または省エネモード）にして（ステップＳ１４１１）、一連の処理を終了する。
つぎに、配送対象品があった場合の精算装置の処理の手順について説明する。第１６図は、この発明の実施の形態にかかる精算装置の別の処理の手順を示すフローチャートである。第９図のフローチャートのステップＳ９０７において、購入決定ボタンが押下された場合（ステップＳ９０７：Ｙｅｓ）は、つぎに、第１６図に示すステップＳ１６０１において、購入を決定した商品が配送対象商品であるか否かを判断する。配送対象商品とは、たとえば重量が大きい商品（たとえばビール１ケース）や、すぐには必要としない商品（ティッシュやトイレットペーパー）などである。
ステップＳ１６０１において、配送対象商品でなければ（ステップＳ１６０１：Ｎｏ）は、なにもせずに、第９図に示したステップＳ９１０へ移行する。一方、配送対象商品である場合（ステップＳ１６０１：Ｙｅｓ）は、たとえば第１７図に示す配送先選択画面１７００を表示する（ステップＳ１６０２）。第１７図は、配送先選択画面を示す説明図である。第１７図において、配送先に関する情報を表示する表示欄１７０１〜１７０３と、『確認』ボタン１７０４と、『キャンセル』ボタン１７０５を表示する。
つぎに、配送先が選択されたか否か（ステップＳ１６０３）あるいはキャンセルとなったか否か（ステップＳ１６０４）を判断する。配送先が選択されたか否かは、第１７図の表示欄１７０１〜１７０３のうち、顧客が所望する配送先を指で触れ、かつ『確認』ボタン１７０４が押下されたか否かで認識することができる。また、キャンセルか否か、すなわち『キャンセル』ボタン１７０５が押下されたか否かで認識することができるそして、キャンセルの場合（ステップＳ１６０４：Ｙｅｓ）は、第９図に示したステップＳ９１０へ移行する。
一方、配送先が選択された場合（ステップＳ１６０３：Ｙｅｓ）は、つぎに、顧客ＩＤ情報と配送の対象となった商品の商品情報を配送先に該当する端末装置へ送信し（ステップＳ１６０５）、その後、第９図に示したステップＳ９１０へ移行する。ここで、該当する端末装置とは、たとえば配送先が駐車場であれば、商品受け渡し所端末装置１０５であり、配送先が自宅であれば、商品配送センター端末装置１０６となる。商品配送センター端末装置１０６では、受信した顧客情報から、それに対応する、あらかじめ登録された送り先住所を抽出し、配送の手配をおこなう。
つぎに、精算ミス、不正行為などの防止に関する精算装置の処理の手順について説明する。第１８図は、この発明の実施の形態にかかる精算装置の別の処理の手順を示すフローチャートである。第９図のフローチャートのステップＳ９０７において、購入決定ボタンが押下された場合（ステップＳ９０７：Ｙｅｓ）は、つぎに、第１８図に示すステップＳ１８０１において、購入を決定した商品が配送対象商品であるか否かを判断する。ここで、配送対象商品である場合（ステップＳ１８０１：Ｙｅｓ）は、なにもせずに、第９図に示したステップＳ９１０へ移行する。
一方、ステップＳ１８０１において、配送対象商品でない場合（ステップＳ１８０１：Ｎｏ）は、その商品は当然にショッピングカート１０２のかご部２００に入れられ、かご部２００に入れられた商品の総重量は変化する。この重量の変化を利用して、精算処理が正規におこなわれているか否かを判定することができる。
まず、バーコードリーダ３０４によってバーコードが読み取られた商品の重量の合計を算出する（ステップＳ１８０２）。この重量の合計の算出は、たとえば、第６図に示したデータベースから重量に関する情報を抽出し、それらの情報に基づいて演算することによっておこなうことができる。つぎに、重量センサー２０１によって測定された重量情報を取得する（ステップＳ１８０３）。
その後、ステップＳ１８０２において算出した商品の重量の合計と、ステップＳ１８０３において取得した重量情報とを比較し、その差が所定範囲であるか否かを判断する（ステップＳ１８０４）。ここで、差が所定範囲内であった場合（ステップＳ１８０４：Ｙｅｓ）は、精算処理が正しくおこなわれていると判断し、なにもせずに、第９図に示したステップＳ９１０へ移行する。
一方、差が所定範囲よりも大きい場合（ステップＳ１８０４：Ｎｏ）は、所定時間だけそのまま待つ。そして、所定時間が経過したか否かを判断する（ステップＳ１８０５）。所定時間とは、顧客が精算処理（商品のバーコードの読み取り操作）をおこなった後にその商品をショッピングカート１０２のかご部２００に入れるまでの時間を考慮して定めることができる。そして、所定時間が経過していない場合（ステップＳ１８０５：Ｎｏ）は、ステップＳ１８０３へ戻り、再度、重量センサー２０１からの重量情報を取得する。
このようにして、ステップＳ１８０３〜Ｓ１８０５までの処理を繰り返しおこない、ステップＳ１８０５において、差が所定範囲よりも大きい状態のまま所定時間が経過した場合（ステップＳ１８０５：Ｙｅｓ）は、たとえば第１９図に示したような警告画面１９００を表示し（ステップＳ１８０６）、顧客に注意を促す。その後、第１９図に示す『確認』ボタン１９０１が押下されるのを待って、押下された場合（ステップＳ１８０７：Ｙｅｓ）は、つぎに、第９図に示したステップＳ９０１へ移行し、再度精算処理をおこなわせる。
（不正行為防止機能の内容）
つぎに、この発明の本実施の形態にかかる別のショッピングカートの外観について説明する。第２０図は、この発明の本実施の形態にかかるショッピングカートの外観を示す説明図である。第２０図において、ショッピングカート１０２は、かご部２００の上側に取り付けられた商品挿入ボックス２００２が備えられている。
商品挿入ボックス２００２には、上側に商品挿入用の蓋（以後「第１蓋」という）２００３と、下側に、商品２００１をかご部２００へ搬送する商品搬送用の蓋（以後「第２蓋」という）２００４と、を備えている。また、かご部２００の上側の内、商品挿入ボックス２００２が備えられていない部分に、商品取り出し用の蓋（以後「第３蓋」という）２００５が備えられている。
第１蓋２００３は、第２１図に示すように、第１の蝶番２００６を中心にして、上方向に開く。また、第２蓋２００４は、第２２図に示すように、第２の蝶番２００７を中心にして、下方向に開く。第３蓋２００５は、第２３図に示すように、第３の蝶番２００８を中心にして、上方向に開く。
また、蓋ロック機構（第１蓋ロック機構２００９、第２蓋ロック機構２０１０、第３蓋ロック機構２０１１）がそれぞれの蓋に対して設置されており、各蓋が開くことを規制している。各蓋ロック機構は、フックａと、フックａに係合するシリンダーｂと、シリンダーｂの動きを制御するシリンダー制御部ｃとから構成され、シリンダーｂがフックａに係合することによって、蓋ロック機構は「ＬＯＣＫ」となり、係合がはずれることによって、蓋ロック機構は「ＯＰＥＮ」となる。
さらに、各蓋の全部または一部（たとえば、第２蓋のみ、あるいは第２蓋と第３蓋のみ）には、蓋の開閉を自動でおこなう、駆動装置（図示省略）を設けていてもよい。駆動装置は各蓋ごと別個にそれぞれ設けていてもよく、あるいは一つ駆動装置を各蓋で共用するように設けていてもよい。上記駆動装置はモータおよびモータの回転力を伝えるための各種ギヤなどから構成される。モータに所定の電流を流すことによって、上記モータを回転され、その回転力によって蝶番を中心に蓋が開く。また、反対の電流を流すことによって、上記モータが逆回転し、その逆回転の回転力によって、蝶番を中心に蓋が閉じる。
さらにまた、第２蓋２００４が開くことによって、商品２００１がかご部２００へ落下する際の衝撃を吸収する緩衝部材２０１２が、かご部２００の底面に設置されている。
また、第２１図では、第１蓋２００３が開けられ、商品２００１を商品挿入ボックス２００２へ入れた状態を示しており、第２２図では、第２蓋２００４が開けれら、商品２００１が商品挿入ボックス２００２からかご部２００へ落下している状態を示しており、第２３図では、決済が完了後、第３蓋２００５が開けられ、かご部２００内にある商品２００１を取り出し可能となった状態を示している。
（蓋開閉制御部の処理手順）
つぎに、第５図に示した蓋開閉制御部の処理手順について説明する。第２４図は、この発明の本実施の形態にかかるショッピングカートの蓋開閉部の処理の手順を示すフローチャートである。第２４図のフローチャートにおいて、まず、精算装置が起動されるのを待って（ステップＳ２４０１）、起動された場合（ステップＳ２４０１：Ｙｅｓ）は、つぎに、精算装置１０１の決済画面が選択（指定）されたか否かを判断する（ステップＳ２４０２）。ここで、決済画面が選択（指定）されていない場合（ステップＳ２４０２：Ｎｏ）は、第１蓋２００３の蓋ロック機構２００９が「ＯＰＥＮ」され、第１蓋２００３が開閉自在の状態になる（ステップＳ２４０３）。
ここで、操作者は、第１蓋２００３を開いた状態で、商品２００１を商品挿入ボックス２００２に入れ、商品２００１のバーコードを読み取らせる。第２１図がその状態を示している。つぎに、第１蓋２００３が閉じられるのを待って（ステップＳ２４０４）、閉じられた場合（ステップＳ２４０４：Ｙｅｓ）は、第１蓋をロックするとともに、商品２００１がすでにバーコード読み取りが済んでいるか否かを判断する（ステップＳ２４０５）。
ステップＳ２４０５において、未だにバーコード読み取りが済んでいない場合（ステップＳ２４０５：Ｎｏ）は、精算装置１０１においてエラー表示がなされ（ステップＳ２４０６）、操作者に対して、そのエラー表示においてバーコード読み取りをおこなうように促す。その後、ステップＳ２４０３へ戻る。
ステップＳ２４０５において、商品２００１のバーコード読み取りがなされている場合（２４０５：Ｙｅｓ）は、当該商品２００１に対して購入決定ボタン７０５が押下されたか否かを判断する（ステップＳ２４０７）。そして、購入決定ボタン７０５が押下された場合（ステップＳ２４０７：Ｙｅｓ）は、第２蓋２００４を開く（ステップＳ２４０８）。これによって、商品２００１は、かご部２００へ格納される。
その後、第２蓋２００４が閉じられるのを待って（ステップＳ２４０９）、閉じられた場合（ステップＳ２４０９：Ｙｅｓ）は、ステップＳ２４０２へ戻る。そして、ステップＳ２４０２において、決済画面が選択（指定）された場合（ステップＳ２４０２：Ｙｅｓ）は、つぎに、決済処理をおこなう（ステップＳ２４１０）。その後、決済が完了するのを待って（ステップ２４１１）。決済処理が完了した場合（ステップＳ２４１１：Ｙｅｓ）は、第３蓋２００５を開く（ステップＳ２４１２）。これによって、操作者はかご部２００２の商品２００１を取り出すことができるようになる。
（蓋ロック機構の動作内容）
第２５図は、この発明の本実施の形態にかかるショッピングカートの蓋ロック機構の動作内容を示す説明図である。第２５図において、各タイミング（ｔ１〜ｔ１１）に対する、各蓋の蓋ロック機構の「ＬＯＣＫ」、「ＯＰＥＮ」の状態を示している。まず、精算装置１０１が起動されるまでは、すべての蓋は「ＬＯＣＫ」状態となっており、精算装置１０１が起動された時点（ｔ１）で、第１蓋２００３の蓋ロック機構２００９が「ＬＯＣＫ」の状態から「ＯＰＥＮ」の状態へ移行する。
つぎに、操作者が第１蓋２００３を開く操作をおこなう（ｔ２）。この開く操作は、操作者がおこなうことなく、図示を省略する駆動装置によって自動的に開くようにしてもよい。操作者は第１蓋２００３が開いた状態で購入希望商品２００１を商品挿入ボックス２００２へ挿入し（ｔ３）、当該商品２００１のバーコードの読み取り操作をおこない（ｔ４）。その後、第１蓋２００３を閉じる操作をおこなう。
そして、第１蓋２００３が閉じられた状態となる（ｔ５）。第１蓋２００３が閉じられた状態になったか否かは、図示を省略する蓋開閉センサーなどによっておこなうことができる。その時点（ｔ５）において、第１蓋２００３の蓋ロック機構が「ＯＰＥＮ」の状態から「ＬＯＣＫ」の状態へ移行するとともに、第２蓋２００４の蓋ロック機構２０１０が「ＬＯＣＫ」の状態から「ＯＰＥＮ」の状態へ移行する。このような動作をすることによって、操作者が、バーコードの読み取りをおこなうことなく、商品挿入ボックス２００２を介して直接、かご部２００へ商品２００１を入れてしまうことを規制する。
つぎに、第２蓋２００４が開くことによって、商品２００１をかご部２００へ落下させる。第２蓋２００４は、操作者の手動によって開くようにしてもよく、また、図示を省略する駆動装置によって、自動的に開くようにしてもよい。自動的に開くようにした場合は、第２蓋２００４が全開した状態で、所定時間停止し、その後閉じる動作を自動的におこなうとよい。このようにして商品格納処理をおこなう（ｔ６）。
そして、第２蓋２００４が閉じられた状態となる（ｔ７）。第２蓋２００４が閉じられた状態になったか否かは、第１蓋２００３と同様に、図示を省略する蓋開閉センサーなどによっておこなうことができる。その時点（ｔ７）において、第２蓋２００４の蓋ロック機構２０１０が「ＯＰＥＮ」の状態から「ＬＯＣＫ」の状態へ移行する。
ｔ２からｔ７までは、商品購入処理をおこなうごとに繰り返しおこなうことになる。そして、商品購入処理が終了後、決済処理をおこない（ｔ８）、決済処理が完了した時点（ｔ９）において、第３蓋２００５のロック機構２０１１が「ＬＯＣＫ」の状態から「ＯＰＥＮ」の状態へ移行する。これによって、第３蓋２００５が開き、操作者はかご部２００内の商品２００１の取り出し操作をおこない（ｔ１０）、商品の取り出しを完了した後、第３蓋２００５を閉じる。
そして、第３蓋２００５が閉じられた状態となる（ｔ１１）。第３蓋２００５が閉じられた状態になったか否かは、第１蓋２００３と同様に、図示を省略する蓋開閉センサーなどによっておこなうことができる。その時点（ｔ１１）において、第３蓋２００５の蓋ロック機構２０１１が「ＯＰＥＮ」の状態から「ＬＯＣＫ」の状態へ移行する。このような動作をすることによって、操作者が、決済完了後に、第３蓋２００５を開いて、そこから商品２００１を入れてしまうことを規制する。
以上説明したように、本実施の形態によれば、顧客のカード情報または携帯電話機のＩＤ情報を入力し、購入される商品がショッピングカート１０２のかご部２００に入れられる際に、商品に付されたバーコードを読み取り、読み取られたバーコードに基づく商品情報を取得し、取得された商品情報に基づいて、顧客のカード情報または携帯電話機のＩＤ情報を用いて商品の代金の精算処理をおこなうため、精算のためにレジにならぶ必要がなく、レジ自体が不要となり、これによって、購入商品の代金の精算処理を効率的におこなうことができる。
また、本実施の形態によれば、顧客のカード情報または携帯電話機のＩＤ情報に基づいて商品情報を取得するため、顧客のカード情報または携帯電話機のＩＤ情報に応じて商品の価格を変更することができ、これによって、購入商品の代金の精算処理を効率的におこなうことができ、かつ、商品の価格の設定・変更を容易におこなうことで販売促進を図ることができる。
また、本実施の形態によれば、店舗サーバ１０４と交信することによって、店舗サーバ１０４に記憶されている商品情報を受信し、受信された商品情報を記憶し、そこから商品情報を取得するため、最新の商品情報を速やかに取得することができ、これによって、購入商品の代金の精算処理を効率的におこなうことができる。
また、本実施の形態によれば、表示画面３０１に取得された商品情報の全部または一部を表示し、または精算処理がおこなわれる商品の代金に関する情報を表示するため、顧客に対して購入商品の状況や、購入金額に関する状況を容易に知らしめることができる。
また、本実施の形態によれば、表示画面３０１に、取得された商品情報を一覧表示するため、顧客に対して購入商品の状況を容易に知らしめることができ、顧客の買い忘れなどを防止させることができる。
また、本実施の形態によれば、表示画面３０１に、取得された商品情報にかかる商品の代金の合計金額を表示するため、顧客に対して購入金額に関する情報を容易に知らしめることができ、予算との関係で計画的に商品の選択・購入をさせることができる。
また、本実施の形態によれば、購入される商品の識別情報を入力し、入力された識別情報にかかる商品の配送先に関する情報を入力し、入力された識別情報および配送先情報を店舗サーバ１０４へ送信し、入力された識別情報に基づく前記商品の商品情報を取得するため、通常の商品の購入時に、あわせてショッピングカートに入れられない商品や、持ち帰ることができない商品の購入を顧客にさせることができる。
また、本実施の形態によれば、かご部２００に入れられた商品の測定重量に関する情報を入力し、読み取られた商品識別情報にかかる商品の重量に関する情報を取得し、入力された商品の重量と、取得された重量情報の合計とを比較するため、識別情報の読み取りがなされていない商品がかご部２００に入れられていることを容易に判断することができ、これによって、精算処理のミスや不正行為を未然に防止できる。また、比較された結果に基づいて警告情報を出力するため、正しく精算処理がされていないことを操作者である顧客に通知することができ、これによって、精算処理のミスや不正行為を未然に防止できる。
また、本実施の形態によれば、ショッピングカート１０２に精算装置１０１を設けたため、購入商品の代金の精算処理を効率的におこなうことができる。また、ショッピングカート１０２のかご部２００の底部に、かご部２００に入れられた商品の重量を測定する重量センサー２０１を備えたため、かご部２００に入れられた商品の重量を容易に知ることができ、その商品の重量と、精算処理が済んだ商品の算出重量の合計とを容易に比較することができ、これによって、精算処理のミスや不正行為を未然に防止することができる。
また、本実施の形態によれば、ショッピングカート１０２に、かご部２００に入れられた商品２００１を取り出す際に開閉する商品取り出し用の蓋（第３蓋）２００５と、第３蓋２００５の開閉を制御する蓋開閉制御部（第５図に示した５１５）と、を備えたため、かご部から商品を取り出すことを規制することができ、これによって、不正行為を未然に防止することができる。
また、本実施の形態において説明した精算方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ（ハードディスク）、ＦＤ（フレキシブルディスク）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
以上説明したように、本発明によれば、ショッピングカートに設けられ、顧客のＩＤ情報を入力するＩＤ情報入力手段と、購入される商品が前記ショッピングカートのかご部に入れられる際に、前記商品に付された商品識別情報を読み取る商品識別情報読み取り手段と、前記商品識別情報読み取り手段によって読み取られた商品識別情報に基づく前記商品の商品情報を取得する商品情報取得手段と、前記商品情報取得手段によって取得された商品情報に基づいて、前記ＩＤ情報入力手段によって入力された顧客のＩＤ情報を用いて前記商品の代金の精算処理をおこなう精算処理手段と、を備えたため、精算のためにレジにならぶ必要がなく、レジ自体が不要となり、これによって、購入商品の代金の精算処理を効率的におこなうことができ、かつ、商品の価格の設定・変更を容易におこなうことで商品販売の促進を図ることが可能な精算装置が得られるという効果を奏する。
また、本発明によれば、前記ＩＤ情報入力手段が、前記顧客のＩＤ情報として、前記顧客のクレジットカードなどの各種カードに記録された情報を読み取るカード情報読み取り手段であるため、クレジットカードなどの各種カードによって精算することができ、これによって、購入商品の代金の精算処理を効率的におこなうことが可能な精算装置が得られるという効果を奏する。
また、本発明によれば、前記ＩＤ情報入力手段が、前記顧客の携帯型情報端末装置との交信が可能となるように接続する接続手段であるため、携帯型情報端末装置によって精算することができ、これによって、購入商品の代金の精算処理を効率的におこなうことが可能な精算装置が得られるという効果を奏する。
また、本発明によれば、前記商品情報取得手段が、前記ＩＤ情報入力手段によって入力された顧客のＩＤ情報に基づいて前記商品の商品情報を取得するため、顧客のＩＤ情報に応じて商品の価格を変更することができ、これによって、購入商品の代金の精算処理を効率的におこなうことができ、かつ、商品の価格の設定・変更を容易におこなうことで販売促進を図ることが可能な精算装置が得られるという効果を奏する。
また、本発明によれば、店舗サーバと交信することによって、前記店舗サーバに記憶されている商品情報を受信する商品情報受信手段と、前記商品情報受信手段によって受信された商品情報を記憶する商品情報記憶手段と、を備え、前記商品情報取得手段が、前記商品情報記憶手段から前記商品情報を取得するため、最新の商品情報を速やかに取得することができ、これによって、購入商品の代金の精算処理を効率的におこなうことができ、かつ、商品の価格の設定・変更を容易におこなうことで販売促進を図ることが可能な精算装置が得られるという効果を奏する。
また、本発明によれば、さらに、前記商品情報取得手段によって取得された商品情報の全部または一部を表示する表示手段を備えたため、顧客に対して購入商品の状況や、購入金額に関する状況を容易に知らしめることができ、これによって、購入商品の代金の精算処理を効率的におこなうことができ、かつ、商品の価格の設定・変更を容易におこなうことで販売促進を図ることが可能な精算装置が得られるという効果を奏する。
また、本発明によれば、前記表示手段が、前記商品情報取得手段によって取得された商品情報を一覧表示するため、顧客に対して購入商品の状況を容易に知らしめることができ、顧客の買い忘れなどを防止させることが可能な精算装置が得られるという効果を奏する。
また、本発明によれば、前記表示手段は、前記商品情報取得手段によって取得された商品情報にかかる商品の代金の合計金額を表示するため、顧客に対して購入金額に関する情報を容易に知らしめることができ、予算との関係で計画的に商品の選択・購入をさせることができ、これによって、商品の販売促進を図ることが可能な精算装置が得られるという効果を奏する。
また、本発明によれば、購入される商品の識別情報を入力する商品識別情報入力手段と、前記商品識別情報入力手段によって入力された識別情報にかかる商品の配送先に関する情報を入力する配送先情報入力手段と、前記商品識別情報入力手段によって入力された識別情報および前記配送先情報入力手段によって入力された配送先情報を前記店舗サーバへ送信する送信手段と、を備え、前記商品情報取得手段は、前記商品識別情報入力手段によって入力された識別情報に基づく前記商品の商品情報を取得するため、通常の商品の購入時に、あわせてショッピングカートに入れられない商品や、持ち帰ることができない商品の購入を顧客にさせることができ、これによって、購入商品の代金の精算処理を効率的におこなうことができ、かつ、商品の販売促進を図ることが可能な精算装置が得られるという効果を奏する。
また、本発明によれば、前記かご部に入れられた商品の測定重量に関する情報を入力する測定重量情報入力手段と、前記商品識別情報読み取り手段によって読み取られた商品識別情報にかかる商品の重量に関する情報を取得する重量情報取得手段と、前記測定重量情報入力手段によって入力された商品の重量と、前記重量情報取得手段によって取得された重量情報の合計とを比較する比較手段と、を備えたため、識別情報の読み取りがなされていない商品がかご部に入れられていることを容易に判断することができ、これによって、精算処理のミスや不正行為を未然に防止でき、購入商品の代金の精算処理を効率的におこなうことが可能な精算装置が得られるという効果を奏する。
また、本発明によれば、前記比較手段によって比較された結果に基づいて警告情報を出力する警告情報出力手段を備えたため、正しく精算処理がされていないことを操作者である顧客に通知することができ、これによって、精算処理のミスや不正行為を未然に防止でき、購入商品の代金の精算処理を効率的におこなうことが可能な精算装置が得られるという効果を奏する。
また、本発明によれば、前記発明にかかる精算装置を設けたため、購入商品の代金の精算処理を効率的におこなうことができ、かつ、商品の価格の設定・変更を容易におこなうことができ、それによって販売促進を図ることが可能なショッピングカートが得られるという効果を奏する。
また、本発明によれば、さらに、前記ショッピングカートのかご部の底部に、前記かご部に入れられた商品の重量を測定する重量測定手段を備えたため、かご部に入れられた商品の重量を容易に知ることができ、その商品の重量と、精算処理が済んだ商品の算出重量の合計とを容易に比較することができ、これによって、精算処理のミスや不正行為を未然に防止でき、購入商品の代金の精算処理を効率的におこなうことが可能なショッピングカートが得られるという効果を奏する。
また、本発明によれば、さらに、前記かご部に入れられた商品を取り出す際に開閉する蓋部材と、前記蓋部材の開閉を制御する制御手段と、を備えたため、かご部から商品を取り出すことを規制することができ、これによって、不正行為を未然に防止することができ、購入商品の代金の精算処理を効率的におこなうことが可能なショッピングカートが得られるという効果を奏する。
また、本発明によれば、顧客のＩＤ情報を入力するＩＤ情報入力工程と、購入される商品がショッピングカートのかご部に入れられる際に、前記商品に付された商品識別情報を読み取る商品識別情報読み取り工程と、前記商品識別情報読み取り工程によって読み取られた商品識別情報に基づく前記商品の商品情報を取得する商品情報取得工程と、前記商品情報取得工程によって取得された商品情報に基づいて、前記ＩＤ情報入力工程によって入力された顧客のＩＤ情報を用いて前記商品の代金の精算処理をおこなう精算処理工程と、を含むため、精算のためにレジにならぶ必要がなく、レジ自体が不要となる。これによって、購入商品の代金の精算処理を効率的におこなうことが可能な精算方法が得られるという効果を奏する。
また、本発明によれば、前記商品情報取得工程が、前記ＩＤ情報入力工程によって入力された顧客のＩＤ情報に基づいて前記商品の商品情報を取得するため、顧客のＩＤ情報に応じて商品の価格を変更することができ、商品の価格の設定・変更を容易におこなうことで販売促進を図ることが可能な精算方法が得られるという効果を奏する。
また、本発明によれば、さらに、前記商品情報取得工程によって取得された商品情報の全部または一部を表示する表示工程を含むため、顧客に対して購入商品の状況や、購入金額に関する状況を容易に知らしめることができ、これによって、購入商品の代金の精算処理を効率的におこなうことができ、かつ、商品の価格の設定・変更を容易におこなうことで販売促進を図ることが可能な精算方法が得られるという効果を奏する。
また、本発明によれば、前記表示工程が、前記商品情報取得工程によって取得された商品情報を一覧表示するため、顧客に対して購入商品の状況を容易に知らしめることができ、顧客の買い忘れなどを防止させることが可能な精算方法が得られるという効果を奏する。
また、本発明によれば、前記表示工程が、前記商品情報取得工程によって取得された商品情報にかかる商品の代金の合計金額を表示するため、顧客に対して購入金額に関する情報を容易に知らしめることができ、予算との関係で計画的に商品の選択・購入をさせることができ、これによって、商品の販売促進を図ることが可能な精算方法が得られるという効果を奏する。
また、本発明によれば、購入される商品の識別情報を入力する商品識別情報入力工程と、前記商品識別情報入力工程によって入力された識別情報にかかる商品の配送先に関する情報を入力する配送先情報入力工程と、前記商品識別情報入力工程によって入力された識別情報および前記配送先情報入力工程によって入力された配送先情報を前記店舗サーバへ送信する送信工程と、を含み、前記商品情報取得工程は、前記商品識別情報入力工程によって入力された識別情報に基づく前記商品の商品情報を取得するため、通常の商品の購入時に、あわせてショッピングカートに入れられない商品や、持ち帰ることができない商品の購入を顧客にさせることができ、これによって、購入商品の代金の精算処理を効率的におこなうことができ、かつ、商品の販売促進を図ることが可能な精算方法が得られるという効果を奏する。
また、本発明によれば、前記ショッピングカートのかご部の底部に、前記かご部に入れられた商品の重量を測定する重量測定工程と、前記商品識別情報読み取り工程によって読み取られた商品識別情報にかかる商品の重量情報を取得する重量情報取得工程と、前記重量測定工程によって測定された商品の重量と、前記重量情報取得工程によって取得された重量情報の合計とを比較する比較工程と、を含むため、識別情報の読み取りがなされていない商品がかご部に入れられていることを容易に判断することができため、識別情報の読み取りがなされていない商品がかご部に入れられていることを容易に判断することができ、これによって、精算処理のミスや不正行為を未然に防止でき、購入商品の代金の精算処理を効率的におこなうことが可能な精算方法が得られるという効果を奏する。
また、本発明によれば、前記発明にかかる精算方法をコンピュータに実行させることによって、前記発明にかかる精算方法のいずれか一つの動作をコンピュータによって実現することが可能なプログラムが得られるという効果を奏する。
産業上の利用可能性
以上のように本発明にかかる精算装置、ショッピングカート、精算方法、およびその方法をコンピュータに実行させるプログラムは、購入商品の代金の精算処理を効率的におこなうことができ、かつ、商品の価格の設定・変更を容易におこなうことができ、それによって販売促進を図ることに適している。
【図面の簡単な説明】
第１図は、この発明の本実施の形態のシステム構成を示す説明図であり、第２図は、この発明の本実施の形態にかかるショッピングカートの外観を示す説明図であり、第３図は、この発明の本実施の形態にかかる精算装置の外観を示す説明図であり、第４図は、この発明の本実施の形態にかかる精算装置のハードウエア構成を示す説明図（ブロック図）であり、第５図は、この発明の本実施の形態にかかる精算装置の機能的構成を示す説明図（ブロック図）であり、第６図は、この発明の本実施の形態にかかる精算装置の商品情報記憶部のデータ構成例を示す説明図であり、第７図は、この発明の本実施の形態にかかる精算装置の表示画面の表示内容を示す説明図であり、第８図は、この発明の実施の形態にかかる精算装置の処理の手順を示すフローチャートであり、第９図は、この発明の実施の形態にかかる精算装置の別の処理の手順を示すフローチャートであり、第１０図は、この発明の本実施の形態にかかる精算装置の表示画面の別の表示内容を示す説明図であり、第１１図は、この発明の本実施の形態にかかる精算装置の表示画面の別の表示内容を示す説明図であり、第１２図は、この発明の本実施の形態にかかる精算装置の表示画面の別の表示内容を示す説明図であり、第１３図は、この発明の本実施の形態にかかる精算装置の表示画面の別の表示内容を示す説明図であり、第１４図は、この発明の実施の形態にかかる精算装置の別の処理の手順を示すフローチャートであり、第１５図は、この発明の本実施の形態にかかる精算装置の表示画面の別の表示内容を示す説明図であり、第１６図は、この発明の実施の形態にかかる精算装置の別の処理の手順を示すフローチャートであり、第１７図は、この発明の本実施の形態にかかる精算装置の表示画面の別の表示内容を示す説明図であり、第１８図は、この発明の実施の形態にかかる精算装置の別の処理の手順を示すフローチャートであり、第１９図は、この発明の本実施の形態にかかる精算装置の表示画面の別の表示内容を示す説明図であり、第２０図は、この発明の本実施の形態にかかるショッピングカートの外観を示す説明図であり、第２１図は、第２０図に示したショッピングカートの動作の一例を示す説明図であり、第２２図は、第２０図に示したショッピングカートの動作の別の一例を示す説明図であり、第２３図は、第２０図に示したショッピングカートの動作の別の一例を示す説明図であり、第２４図は、この発明の本実施の形態にかかるショッピングカートの蓋開閉部の処理の手順を示すフローチャートであり、第２５図は、この発明の本実施の形態にかかるショッピングカートの蓋ロック機構の動作内容を示す説明図である。
【図１】
2003054822.tif 000003
【図２】
2003054822.tif 000004
【図３】
2003054822.tif 000005
【図４】
2003054822.tif 000006
【図５】
2003054822.tif 000007
【図６】
2003054822.tif 000008
【図７】
2003054822.tif 000009
【図８】
2003054822.tif 000010
【図９】
2003054822.tif 000011
【図１０】
2003054822.tif 000012
【図１１】
2003054822.tif 000013
【図１２】
2003054822.tif 000014
【図１３】
2003054822.tif 000015
【図１４】
2003054822.tif 000016
【図１５】
2003054822.tif 000017
【図１６】
2003054822.tif 000018
【図１７】
2003054822.tif 000019
【図１８】
2003054822.tif 000020
【図１９】
2003054822.tif 000021
【図２０】
2003054822.tif 000022
【図２１】
2003054822.tif 000023
【図２２】
2003054822.tif 000024
【図２３】
2003054822.tif 000025
【図２４】
2003054822.tif 000026
【図２５】
2003054822.tif 000027
【国際調査報告】
2003054822.tif 000028
2003054822.tif 000029
2003054822.tif 000030
2003054822.tif 000031